(57)【要約】【課題】転写特性の向上を図ることができる画像形成装置を提供すること。【解決手段】本発明の画像形成装置は、トナー像を担持する中間転写体６１と、中間転写体６１に対し接離可能に設けられた二次転写ローラ８０と、中間転写体６１と二次転写ローラ８０との間に記録媒体Ｐを案内するガイド部材８３とを有し、二次転写ローラ８０が中間転写体６１と接触しているときに、ガイド部材８３を経て二次転写ローラ８０と中間転写体６１との間に記録媒体Ｐを導入し、記録媒体Ｐにトナー像を転写するよう構成され、ガイド部材８３は、記録媒体Ｐの一方の面側を案内する第１のガイド部材８３Ａと、記録媒体Ｐの他方の面側を案内する第２のガイド部材８３Ｂとを有し、第２のガイド部材８３Ｂの少なくとも一部は、第１のガイド部材８３Ａに対し固定的に設置されている。【選択図】図２
2006276499.tif 000002
【特許請求の範囲】
【請求項１】
トナー像を担持するトナー像担持体と、該トナー像担持体に対し接離可能に設けられた転写ローラと、前記トナー像担持体と前記転写ローラとの間に記録媒体を案内するガイド部材とを有し、前記転写ローラが前記トナー像担持体と接触しているときに、前記ガイド部材を経て前記転写ローラと前記トナー像担持体との間に記録媒体を導入し、該記録媒体に前記トナー像を転写するよう構成された画像形成装置であって、
前記ガイド部材は、前記記録媒体の一方の面側を前記案内する第１のガイド部材と、前記記録媒体の他方の面側を前記案内する第２のガイド部材とを有し、
前記第２のガイド部材の少なくとも一部は、前記第１のガイド部材に対し固定的に設置されていることを特徴とする画像形成装置。
【請求項２】
前記第２のガイド部材の少なくとも一部は、前記第１のガイド部材に支持部材を介して支持されている請求項１に記載の画像形成装置。
【請求項３】
前記第２のガイド部材は、導電性部材を有し、該導電性部材が前記第１のガイド部材に支持されている請求項１または２に記載の画像形成装置。
【請求項４】
前記導電性部材は、前記転写ローラの軸線方向における全域に亘って形成されている請求項３に記載の画像形成装置。
【請求項５】
前記導電性部材は、板状をなしている請求項３または４に記載の画像形成装置。
【請求項６】
前記導電性部材は、前記トナー像担持体と前記転写ローラとの間に臨むように設けられている請求項３ないし５のいずれかに記載の画像形成装置。
【請求項７】
ハウジングを有し、前記第１のガイド部材は、前記ハウジングに支持されている請求項１ないし６のいずれかに記載の画像形成装置。
【請求項８】
前記トナー像担持体は、前記転写ローラに圧接し得るローラを有し、該ローラと前記転写ローラとの軸間距離が一定に保持されるようにこれらが設置されている請求項１ないし７のいずれかに記載の画像形成装置。
【発明の詳細な説明】
【技術分野】
【０００１】
本発明は、画像形成装置に関するものである。
【背景技術】
【０００２】
電子写真方式を採用するプリンタ、複写機、ファクシミリなどの画像形成装置にあっては、感光体等の潜像担持体上に静電的な潜像を形成し、この潜像をトナーによりトナー像として可視化し、このトナー像を潜像担持体から中間転写ベルト（トナー像担持体）上に一次転写し、さらに、中間転写体から紙などの記録媒体に二次転写した後に、記録媒体上のトナー像を定着処理して、記録媒体上に画像を形成するものが知られている（例えば、特許文献１参照）。
特許文献１の画像形成装置では、中間転写ベルトに対し二次転写ローラ（転写ローラ）が接離可能に設けられ、二次転写ローラが中間転写ベルトと接触しているときに、二次転写ローラと中間転写ベルトとの間の転写ニップ部に記録媒体を導入し、中間転写ベルトから記録媒体にトナー像を転写する。
【０００３】
かかる画像形成装置では、記録媒体を二次転写ローラと中間転写ベルトとの接触部である転写ニップ部に導入する際に、記録媒体はガイド部材によって転写ニップ部に案内される。このガイド部材は、記録媒体の一方の面側で案内する第１のガイド部材と、記録媒体の他方の面側で案内する第２のガイド部材とを有し、これらはそれぞれ別々の部材によって支持されている。
そのため、第１のガイド部材と第２のガイド部材との相対位置関係が変動し、転写ニップ部に対し記録媒体を正確に案内することができず、転写特性を低下してしまう場合があった。
【０００４】
【特許文献１】特開２００４−３５４４４４号公報
【発明の開示】
【発明が解決しようとする課題】
【０００５】
本発明の目的は、転写特性の向上を図ることができる画像形成装置を提供することにある。
【課題を解決するための手段】
【０００６】
このような目的は、下記の本発明により達成される。
本発明の画像形成装置は、トナー像を担持するトナー像担持体と、該トナー像担持体に対し接離可能に設けられた転写ローラと、前記トナー像担持体と前記転写ローラとの間に記録媒体を案内するガイド部材とを有し、前記転写ローラが前記トナー像担持体と接触しているときに、前記ガイド部材を経て前記転写ローラと前記トナー像担持体との間に記録媒体を導入し、該記録媒体に前記トナー像を転写するよう構成された画像形成装置であって、
前記ガイド部材は、前記記録媒体の一方の面側を前記案内する第１のガイド部材と、前記記録媒体の他方の面側を前記案内する第２のガイド部材とを有し、
前記第２のガイド部材の少なくとも一部は、前記第１のガイド部材に対し固定的に設置されていることを特徴とする。
これにより、第１のガイド部材と第２のガイド部材の少なくとも一部との相対位置関係を一定に維持することができる。よって、記録媒体をトナー像担持体と転写ローラとの間の転写ニップ部へ安定的に案内することができる。その結果、転写特性の向上を図ることができる。
【０００７】
本発明の画像形成装置では、前記第２のガイド部材の少なくとも一部は、前記第１のガイド部材に支持部材を介して支持されていることが好ましい。
これにより、比較的簡単かつ確実に、第１のガイド部材と第２のガイド部材の少なくとも一部との相対位置関係を一定に維持することができる。
本発明の画像形成装置では、前記第２のガイド部材は、導電性部材を有し、該導電性部材が前記第１のガイド部材に支持されていることが好ましい。
これにより、導電性部材上にある記録媒体部分では、トナー像担持体からのトナー像の転写が防止される。その結果、トナー像担持体から記録媒体へのトナー像の不本意な転写を防止して、トナー像担持体と転写ローラとの間の転写ニップ部により近い位置でトナー像担持体から記録媒体へのトナー像の転写が行われるので、転写特性の向上を図ることができる。
【０００８】
本発明の画像形成装置では、前記導電性部材は、前記転写ローラの軸線方向における全域に亘って形成されていることが好ましい。
これにより、より確実に、トナー像担持体から記録媒体へのトナー像の不本意な転写を防止することができる。
本発明の画像形成装置では、前記導電性部材は、板状をなしていることが好ましい。
これにより、比較的簡単な構成で導電性部材の一部を記録媒体の案内面としつつ、トナー像担持体から記録媒体へのトナー像の不本意な転写を防止することができる。
【０００９】
本発明の画像形成装置では、前記導電性部材は、前記トナー像担持体と前記転写ローラとの間に臨むように設けられていることが好ましい。
これにより、導電性部材をトナー像担持体と転写ローラとの間の転写ニップ部にできるだけ近づけて設置することができる。その結果、トナー像担持体と転写ローラとの間の転写ニップ部により近い位置でトナー像担持体から記録媒体へのトナー像の転写が行われるので、転写特性の向上を図ることができる。
【００１０】
本発明の画像形成装置では、ハウジングを有し、前記第１のガイド部材は、前記ハウジングに支持されていることが好ましい。
これにより、比較的簡単な構成で、第１のガイド部材を安定的に設置することができる。
本発明の画像形成装置では、前記トナー像担持体は、前記転写ローラに圧接し得るローラを有し、該ローラと前記転写ローラとの軸間距離が一定に保持されるようにこれらが設置されていることが好ましい。
これにより、トナー像担持体と転写ローラとの相対位置関係を一定に保って、これらの間の転写ニップ部の形状や大きさの変動を防止することができる。その結果、転写特性の向上を図ることができる。
【発明を実施するための最良の形態】
【００１１】
以下、本発明の画像形成装置の好適な実施形態を添付図面に基づいて説明する。
図１は、本発明にかかる画像形成装置の１実施形態を示す全体構成の模式的断面図、図２は、図１に示す画像形成装置における２次転写部周辺のガイド部材を説明するための図、図３は、図１に示す画像形成装置における中間転写体および２次転写ローラを説明するための側面図、図４は、図１に示す画像形成装置における中間転写体および２次転写ローラを説明するための断面図である。
【００１２】
§画像形成装置の全体構成§
まず、図１に基づき、本実施形態にかかる画像形成装置の全体構成を簡単に説明する。
本実施形態の画像形成装置１０は、図１に示すように、開閉可能なカバー１１ａを備えるハウジング１１を有し、このハウジング１１内には、潜像を担持し図示矢印方向に回転する感光体２０が配設されている。そして感光体２０の周囲には、その回転方向に沿って順次、帯電ユニット３０、露光ユニット４０、現像ユニット５０、トナー像担持体である中間転写体６１、クリーニングユニット７５が配設されている。また、画像形成装置１０は、図１にて下部に、紙などの記録媒体Ｐを収容する給紙トレイ８２を有し、その給紙トレイ８２に対して記録媒体Ｐの搬送方向下流に、レジローラ８６、ガイド部材８３、転写ローラである二次転写ローラ８０、定着装置９０、排紙ローラ対８７が順次配設されている。また、画像形成装置１０には、記録媒体の両面に画像を形成する場合に、定着装置９０によって一方の面に定着処理された記録媒体Ｐを表裏反転させて二次転写ローラ８０へ帰還させるための搬送部８８が設けられている。
【００１３】
感光体２０は、円筒状の導電性基材（図示せず）と、その外周面に形成された感光層（図示せず）とを有し、その軸線まわりに図１中矢印方向に回転可能となっている。
帯電ユニット３０は、コロナ帯電などにより感光体２０の表面を一様に帯電するための装置である。
露光ユニット４０は、図示しないパーソナルコンピュータなどのホストコンピュータから画像情報を受けこれに応じて、一様に帯電された感光体２０上に、レーザを照射することによって、静電的な潜像を形成する装置である。
【００１４】
現像ユニット５０は、ブラック現像装置５１と、マゼンタ現像装置５２と、シアン現像装置５３と、イエロー現像装置５４との４つの現像装置を有し、これらの現像装置を感光体２０上の潜像に対応して選択的に用いて、前記潜像をトナー像として可視化する装置である。ブラック現像装置５１はブラック（Ｋ）トナー、マゼンタ現像装置５２はマゼンタ（Ｍ）トナー、シアン現像装置５３はシアン（Ｃ）トナー、イエロー現像装置５４はイエロー（Ｙ）トナーを用いて現像を行う。
【００１５】
本実施形態におけるＹＭＣＫ現像ユニット５０は、前述の４つの現像装置５１、５２、５３、５４を選択的に感光体２０に対向するように、回転可能となっている。具体的には、このＹＭＣＫ現像ユニット５０は、軸５０ａを中心として回転可能な保持体５５の４つの保持部５５ａ、５５ｂ、５５ｃ、５５ｄにそれぞれ４つの現像装置５１、５２、５３、５４が保持されており、保持体５５の回転により、４つの現像装置５１、５２、５３、５４が相対位置関係を維持したまま、感光体２０に選択的に対向するようになっている。
【００１６】
中間転写体６１は、エンドレスベルト状の中間転写ベルト７０を有し、この中間転写ベルト７０は、で張架されており、駆動ローラ７１の回転により、図１に示す矢印方向に、感光体２０とほぼ同じ周速度にて回転駆動される。
一次転写ローラ６０は、感光体２０に形成された単色のトナー像を中間転写ベルト７０に転写するための装置である。
【００１７】
中間転写ベルト７０上には、ブラック、マゼンタ、シアン、イエローのうちの少なくとも１色のトナー像が担持され、例えばフルカラー画像の形成時に、ブラック、マゼンタ、シアン、イエローの４色のトナー像が順次重ねて転写されて、フルカラーのトナー像が形成される。本実施形態では、駆動ローラ７１が、後述する二次転写ローラ８０のバックアップローラとしても機能する。また、一次転写ローラ６０、駆動ローラ７１、従動ローラ７２は、基体７３によって支持されている。
【００１８】
二次転写ローラ８０は、中間転写ベルト７０上に形成された単色やフルカラーなどのトナー像を、紙、フィルム、布等の記録媒体Ｐに転写するための装置である。
定着装置９０は、前記トナー像の転写を受けた記録媒体Ｐを加熱および加圧することにより、前記トナー像を記録媒体Ｐに融着させて永久像として定着させるための装置である。
【００１９】
クリーニングユニット７５は、一次転写ローラ６０と帯電ユニット３０との間で感光体２０の表面に当接するゴム製のクリーニングブレード７６を有し、一次転写ローラ６０によって中間転写ベルト７０上にトナー像が転写された後に、感光体２０上に残存するトナーをクリーニングブレード７６により掻き落として除去するための装置である。
搬送部８８は、定着装置９０によって一方の面に定着処理された記録媒体Ｐを挟持搬送する搬送ローラ対８８Ａ、８８Ｂと、搬送ローラ対８８Ａ、８８Ｂによって搬送される記録媒体Ｐを表裏反転しつつレジローラ８６へ向け案内する搬送路８８Ｃとを備えている。これにより、記録媒体の両面に画像形成する場合に、定着装置９０によって一方の面に定着処理された記録媒体Ｐを表裏反転して二次転写ローラ８０へ帰還させる。
【００２０】
次に、このように構成された画像形成装置１０の動作を説明する。
まず、図示しないホストコンピュータからの指令により、感光体２０、現像ユニット５０に設けられた現像ローラ（図示せず）、および中間転写ベルト７０が回転を開始する。そして、感光体２０は、回転しながら、帯電ユニット３０により順次帯電される。
感光体２０の帯電された領域は、感光体２０の回転に伴って露光位置に至り、露光ユニット４０によって、第１色目、例えばイエローＹの画像情報に応じた潜像が前記領域に形成される。
【００２１】
感光体２０上に形成された潜像は、感光体２０の回転に伴って現像位置に至り、イエロー現像装置５４によってイエロートナーで現像される。これにより、感光体２０上にイエロートナー像が形成される。このとき、ＹＭＣＫ現像ユニット５０は、イエロー現像装置５４が、前記現像位置にて感光体２０と対向している。
感光体２０上に形成されたイエロートナー像は、感光体２０の回転に伴って一次転写位置（すなわち、感光体２０と一次転写ローラ６０との対向部）に至り、一次転写ローラ６０によって、中間転写ベルト７０に転写（一次転写）される。このとき、一次転写ローラ６０には、トナーの帯電極性とは逆の極性の一次転写電圧（一次転写バイアス）が印加される。なお、この間、二次転写ローラ８０は、中間転写ベルト７０から離間している。
【００２２】
前述の処理と同様の処理が、第２色目、第３色目および第４色目について繰り返して実行されることにより、各画像信号に対応した各色のトナー像が、中間転写ベルト７０に重なり合って転写される。これにより、中間転写ベルト７０上にはフルカラートナー像が形成される。
一方、記録媒体Ｐは、給紙トレイ８２から、給紙ローラ８４、レジローラ８６によって二次転写ローラ８０へ搬送される。
【００２３】
中間転写ベルト７０上に形成されたフルカラートナー像は、中間転写ベルト７０の回転に伴って二次転写位置（すなわち、二次転写ローラ８０と駆動ローラ７１との対向部）に至り、二次転写ローラ８０によって記録媒体Ｐに転写（二次転写）される。このとき、二次転写ローラ８０は中間転写ベルト７０に押圧されるとともに二次転写電圧（二次転写バイアス）が印加される。
記録媒体Ｐに転写されたフルカラートナー像は、定着装置９０によって加熱および加圧されて記録媒体Ｐに融着される。その後、記録媒体Ｐは、排紙ローラ対８７によって画像形成装置１０の外部へ排出される。
【００２４】
一方、感光体２０は一次転写位置を経過した後に、クリーニングユニット７５のクリーニングブレード７６によって、その表面に付着しているトナーが掻き落とされ、次の潜像を形成するための帯電に備える。掻き落とされたトナーは、クリーニングユニット７５内の残存トナー回収部に回収される。
記録媒体の両面に画像形成する場合には、定着装置９０によって一方の面に定着処理された記録媒体Ｐを一旦排紙ローラ対８７により挟持した後に、排紙ローラ対８７を反転駆動するとともに、搬送ローラ対８８Ａ、８８Ｂを駆動して、当該記録媒体Ｐを搬送路８８Ｃを通じて表裏反転して二次転写ローラ８０へ帰還させ、前述と同様の動作により、記録媒体Ｐの他方の面に画像を形成する。
【００２５】
§ガイド部材§
次に、図２に基づいて、ガイド部材８３を詳細に説明する。
図２に示すように、ガイド部材８３は、記録媒体Ｐの一方の面側を案内する第１のガイド部材８３Ａと、記録媒体Ｐの他方の面側を案内する第２のガイド部材８３Ｂとを有している。
【００２６】
第１のガイド部材８３Ａは、記録媒体Ｐの搬送方向での下流側から上流側へ、駆動ローラ７１と二次転写ローラ８０との対向部（以下、転写ニップ部という）ＴＮに向かうように湾曲した案内面８３Ａ１を有している。この案内面８３Ａ１は、図２にて上方に向け搬送される記録媒体Ｐの表面側（図２にて左側の面側）と接触しつつ、転写ニップ部ＴＮへ記録媒体Ｐを案内する。ここで、第１のガイド部材８３Ａは、図１に示すハウジング１１に直接的に支持されている。これにより、比較的簡単な構成で、第１のガイド部材８３Ａを安定的に設置することができる。
【００２７】
一方、第２のガイド部材８３Ｂは、前述した第１のガイド部材８３Ａの案内面８３Ａ１に対向する案内面８３Ｂ１を有している。また、第２のガイド部材８３Ｂは、転写ニップ部ＴＮ側に、第２のガイド部材８３Ｂの案内面８３Ｂ１の一部を構成する板状の導電性部材８３Ｂ２が設けられている。ここで、第２のガイド部材８３Ｂの導電性部材８３Ｂ２を除く部分は、ハウジング１１に回動軸８３Ｂ４まわりに回動可能に支持されている。
【００２８】
この導電性部材８３Ｂ２は、中間転写ベルト７０と二次転写ローラ８０との間に生じる電界を遮断する機能を有する。したがって、導電性部材８３Ｂ２上にある記録媒体Ｐ部分では、中間転写ベルト７０からのトナー像の転写が防止される。その結果、中間転写ベルト７０から記録媒体Ｐへのトナー像の不本意な転写を防止して、より転写ニップＴＮに近い位置で中間転写ベルト７０から記録媒体Ｐへのトナー像の転写が行われるので、転写特性の向上を図ることができる。
【００２９】
また、導電性部材８３Ｂ２は、支持部材８３Ｂ３を介して、前述した第１のガイド部材８３Ａに支持されている。すなわち、第２のガイド部材８３Ｂの少なくとも一部（後述する導電性部材８３Ｂ２）は、第１のガイド部材８３Ａに対し固定的に設置されている。
これにより、第１のガイド部材８３Ａと第２のガイド部材８３Ｂの少なくとも一部（導電性部材８３Ｂ２）との相対位置関係を一定に維持することができる。よって、記録媒体Ｐを中間転写体６１（トナー像担持体）と二次転写ローラ８０（転写ローラ）との間の転写ニップ部ＴＮへ安定的に案内することができる。その結果、転写特性の向上を図ることができる。
【００３０】
また、第２のガイド部材８３Ｂの先端（すなわち、導電性部材８３Ｂ２の先端）の位置決めを高精度とすることができるので、導電性部材８３Ｂ２（第２のガイド部材８３Ｂ）と中間転写ベルト７０および二次転写ローラ８０との接触を防止しつつ、導電性部材８３Ｂ２と転写ニップ部ＴＮとの間の距離を短縮化することができる。その結果、前述したような中間転写ベルト７０から記録媒体Ｐへのトナー像の不本意な転写をより効果的に防止することができる。
【００３１】
また、第２のガイド部材８３Ｂの少なくとも一部（すなわち、導電性部材８３Ｂ２）と第１のガイド部材８３Ａとが支持部材８３Ｂ３を介して支持されているので、比較的簡単かつ確実に、第１のガイド部材８３Ａと第２のガイド部材の少なくとも一部（すなわち、導電性部材８３Ｂ２）との相対位置関係を一定に維持することができる。なお、第２のガイド部材８３Ｂの少なくとも一部（すなわち、導電性部材８３Ｂ２）と第１のガイド部材８３Ａとは、一体的に構成されていても、別体として構成されていてもよい。
【００３２】
導電性部材８３Ｂ２は、二次転写ローラ８０の軸線方向における全域に亘って形成されている。これにより、より確実に、中間転写体６１（トナー像担持体）から記録媒体Ｐへのトナー像の不本意な転写を防止することができる。
本実施形態では、図２に示すように、転写ニップ部ＴＮに突入する直前の記録媒体Ｐをできるだけ中間転写ベルト７０に近づけるように、第１のガイド部材８３Ａおよび第２のガイド部材８３Ｂが配置されている。すなわち、導電性部材８３Ｂ２は、中間転写体６１（トナー像担持体）と二次転写ローラ８０との間に臨むように設けられている。これにより、導電性部材８３Ｂ２を転写ニップ部ＴＮにできるだけ近づけて設置することができる。その結果、転写ニップ部ＴＮにより近い位置で中間転写体６１から記録媒体Ｐへのトナー像の転写が行われるので、転写特性の向上を図ることができる。
【００３３】
具体的には、第１のガイド部材８３Ａの先端と第２のガイド部材８３Ｂの先端とが転写ニップ部ＴＮでの中間転写ベルト７０および二次転写ローラ８０の接線Ｌに対し中間転写ベルト７０側に位置している。これにより、転写ニップ部ＴＮに突入する前の記録媒体Ｐ部分にトナー像が不本意に転写するのをより確実に防止することができる。
また、導電性部材８３Ｂ２は、板状をなしているので、比較的簡単な構成で導電性部材８３Ｂ２の一部を記録媒体Ｐの案内面としつつ、中間転写体６１（トナー像担持体）から記録媒体Ｐへのトナー像の不本意な転写を防止することができる。
【００３４】
§駆動ローラおよび二次転写ローラ§
次に、図３および図４に基づいて、駆動ローラ７１および二次転写ローラ８０を詳細に説明する。
図３および図４に示すように、駆動ローラ７１は、その両端から突出する軸部７１Ａを有し、この軸部７１Ａが軸受７１Ｂを介して基体７３に支持されている。一方、二次転写ローラ８０は、その両端から突出する軸部８０Ａを有し、この軸部８０Ａが軸受８０Ｂを介して基体７３に支持されている。すなわち、二次転写ローラ８０は、基体７３に固定的に設置されている。
【００３５】
このように、駆動ローラ７１および二次転写ローラ８０は、同一部材である基体７３に支持されている。言い換えすれば、駆動ローラ７１と二次転写ローラ８０との軸間距離が一定に保持されるようにこれらが設置されている。これにより、駆動ローラ７１と二次転写ローラ８０との相対位置関係を一定に保って、転写ニップ部ＴＮの形状や大きさ（ニップ幅、ニップ形状等）の変動を防止することができる。その結果、転写特性の向上を図ることができる。
【００３６】
より具体的には、基体７３には、駆動ローラ７１と二次転写ローラ８０との対向方向に延びる長孔７３Ａが形成されており、この長孔７３Ａの長手方向での一端側に駆動ローラ７１の軸受７１Ｂが係合し、長孔７３Ａの長手方向での他端側に二次転写ローラ８０の軸受８０Ｂが摺動可能に係合している。
また、二次転写ローラ８０の軸部８０Ａには、バネ等の弾性体７４が接続され、二次転写時には、この弾性体７４の付勢力によって、二次転写ローラ８０が駆動ローラ７１に向けて付勢されるようになっている。なお、二次転写時以外、例えば、一次転写時には、図示しない解除手段が、二次転写ローラ８０を弾性体７４の付勢力に抗して移動させ、中間転写体６１と離間させる。
【００３７】
さらに、二次転写ローラ８０の軸部８０Ａ上には、中間転写ベルト７０を介して駆動ローラ７１に圧せられる突き当てコロ８０Ｄが設けられている。これにより、二次転写ローラ８０の軸線と駆動ローラ７１の軸線との間の距離の変動を防止している。
また、基体７３は、図１に示すハウジング１１に直接的に支持されている。すなわち、第１のガイド部材８３Ａと基体７３は、同一部材により直接的に支持されている。したがって、第１のガイド部材８３Ａ（これに加えて、第２のガイド部材８３Ｂの導電性部材８３Ｂ２）と転写ニップ部ＴＮとの間の距離の変動を防止することができる。これにより、転写特性の向上を図ることができる。本実施形態では、基体７３はハウジング１１に支持されているので、比較的簡単な構成で、基体７３を安定的に設置することができる。
【００３８】
以上、本発明について、好適な実施形態に基づいて説明したが、本発明はこれに限定されるものではない。
例えば、本発明の画像形成装置を構成する各部は、同様の機能を発揮する任意のものと置換、または、その他の構成を追加することもできる。
また、ガイド部材の形状、位置、大きさ等は、トナー像担持体（中間転写体６１）と転写ローラ（二次転写ローラ）との間に記録媒体を案内することができるものであれば、前述した実施形態のものに限定されず、任意である。
また、前述した実施形態では、第２のガイド部材の一部を第１のガイド部材に対し固定的に設置するようにしたが、第２のガイド部材全体を第１のガイド部材に対し固定的に設置してもよい。
【図面の簡単な説明】
【００３９】
【図１】本発明にかかる画像形成装置の１実施形態を示す全体構成の模式的断面図である。
【図２】図１に示す画像形成装置における２次転写部周辺のガイド部材を説明するための図である。
【図３】図１に示す画像形成装置における中間転写体および２次転写ローラを説明するための側面図である。
【図４】図１に示す画像形成装置における中間転写体および２次転写ローラを説明するための断面図である。
【符号の説明】
【００４０】
１０‥‥‥画像形成装置  １１‥‥‥ハウジング  １１ａ‥‥‥カバー  ２０‥‥‥感光体  ３０‥‥‥帯電ユニット  ４０‥‥‥露光ユニット  ５０‥‥‥現像ユニット  ５０ａ‥‥‥軸  ５１‥‥‥ブラック現像装置  ５２‥‥‥マゼンタ現像装置  ５３‥‥‥シアン現像装置  ５４‥‥‥イエロー現像装置  ５５‥‥‥保持体  ５５ａ〜５５ｄ‥‥‥保持部  ６０‥‥‥一次転写ローラ  ６１‥‥‥中間転写体  ７０‥‥‥中間転写ベルト  ７１‥‥‥駆動ローラ  ７１Ａ‥‥‥軸部  ７１Ｂ‥‥‥軸受  ７２‥‥‥従動ローラ  ７３‥‥‥基体  ７３Ａ‥‥‥長孔  ７４‥‥‥弾性体  ７５‥‥‥クリーニングユニット  ７６‥‥‥クリーニングブレード  ８０‥‥‥二次転写ローラ  ８０Ａ‥‥‥軸部  ８０Ｂ‥‥‥軸受  ８０Ｃ‥‥‥突き当てコロ  ８２‥‥‥給紙トレイ  ８３‥‥‥ガイド部材  ８３Ａ‥‥‥第１のガイド部材  ８３Ｂ‥‥‥第２のガイド部材  ８３Ａ１‥‥‥案内面  ８３Ｂ１‥‥‥案内面  ８３Ｂ２‥‥‥導電性部材  ８３Ｂ３‥‥‥支持部材  ８３Ｂ４‥‥‥回動軸  ８４‥‥‥給紙ローラ  ８６‥‥‥レジローラ  ８７‥‥‥排紙ローラ対  ８８‥‥‥搬送部  ８８Ａ、８８Ｂ‥‥‥搬送ローラ対  ８８Ｃ‥‥‥搬送路  ９０‥‥‥定着装置  Ｐ‥‥‥記録媒体
【図１】
2006276499.tif 000003
【図２】
2006276499.tif 000004
【図３】
2006276499.tif 000005
【図４】
2006276499.tif 000006